(57)【要約】【課題】  化粧パネルと分岐端子カバーとの前面を一致させる。【解決手段】  壁に形成された開口に収容されて、固定される本体部２の前面に、分岐端子８ａ、８ｂが、設けられている。端子８ａ、８ｂの周囲を包囲するように本体部２に設けたカバー１４は、前記開口を被う化粧パネル１８に形成された窓２０内に位置し、前方に一部が突出している。カバー１４の周囲に設けられた押圧部２２が、化粧パネルを前方に押圧する。【選択図】        図１
2009059644.tif 000002
【特許請求の範囲】
【請求項１】
壁に形成された開口に収容されて、固定される本体部であって、外部から入力された信号の一部が供給される端子が、前面に設けられている本体部と、
前記端子の周囲を包囲するように前記本体部に設けられたカバーであって、前記開口を被う化粧パネルに形成された窓内に位置し、前記窓よりも前方に一部が突出しているカバーと、
このカバーの周囲に設けられ、前記カバーの前面が前記化粧パネルの前面にほぼ一致するように前記化粧パネルを前方に押圧する複数の押圧部とを、
有する壁面端子。
【請求項２】
請求項１記載の壁面端子において、前記押圧部は、前記カバーの周囲に一体に形成されている壁面端子。
【請求項３】
請求項１記載の壁面端子において、前記本体部は、前記開口の周縁に設けた枠体に取り付けられ、前記化粧パネルが前記枠体に取り付けられている壁面端子。
【発明の詳細な説明】
【技術分野】
【０００１】
本発明は、例えば直列ユニットのように室内の壁面に設けられ、外部から供給された信号の一部を端子に供給する壁面端子に関する。
【背景技術】
【０００２】
壁面端子として例えば直列ユニットがある。この直列ユニットの一例が、特許文献１に開示されている。この直列ユニットでは、直列ユニット本体の前面側に上下方向に２つの分岐端子が一列に設けられている。これら分岐端子を被うように長方形状のカバーが設けられている。直列ユニット本体が壁面に形成された開口に固定され、この開口を被うように化粧パネルが壁面に取り付けられる。化粧パネルには、化粧パネルを壁に取り付けた状態において、分岐端子のカバーが内部に位置するように、カバーと大きさがほぼ一致する長方形状の窓が形成されている。分岐端子のカバーや化粧パネルは、合成樹脂成型などによって製造される。
【０００３】
【特許文献１】実用新案登録第３０９９５７２号公報
【発明の開示】
【発明が解決しようとする課題】
【０００４】
このように構成された直列ユニットでは、化粧パネルの前面と分岐端子カバーの前面とが一致していることが美観上望ましい。しかし、そのためには、化粧パネルや分岐端子のカバーの製造精度を向上させることが必要であり、かなり困難であった。
【０００５】
本発明は、化粧パネルと端子のカバーとの前面を一致させた壁面端子を提供することを目的とする。
【課題を解決するための手段】
【０００６】
本発明の一態様の壁面端子は、本体部を有している。この本体部は、壁に形成された開口に収容されて、固定される。この本体部には、外部から入力された信号の一部が供給される端子が、前面に設けられている。本体部は、例えば入力されたテレビジョン放送信号のような高周波信号を分岐する直列ユニットとすることもできるし、入力されたテレビジョン放送信号を分配する分配ユニットとすることもできる。端子の数は、１つだけとすることもできるし、複数とすることもできる。また、高周波信号以外に、光信号を同様に分岐または分配することもできる。前記端子の周囲を包囲するように前記本体部にカバーが設けられている。カバーは、端子が複数の場合、端子ごとに個別に設けることもできるし、或いは複数の端子に対して共通に１つだけ設けることもできる。カバーは、前記開口を被う化粧パネルに形成された窓内に位置し、前記窓よりも前方に一部が突出している。  このカバーの周囲に複数の押圧部が設けられ、前記カバーの前面が前記化粧パネルの前面にほぼ一致するように前記化粧パネルを前方に押圧する。
【０００７】
このように構成された壁面端子では、寸法公差上の問題で、カバーの前面が化粧パネルよりも突出していても、化粧パネルを押圧部が押圧することによって、カバーの前面と化粧パネルの前面とを一致させることができ、壁面端子の美観を向上させることができる。
【０００８】
前記押圧部は、前記カバーの周囲に一体に形成することができる。押圧部は、例えば本体部に設けることも可能である。しかし、この場合、本体部から化粧パネルまでの距離が長いので、押圧部の長さを長くしなければならない。しかし、カバーと化粧パネルとの距離は、本体部とカバーとの距離よりも短いので、押圧部も短くすることができる。
【０００９】
前記本体部は、前記開口の周縁に設けた枠体に取り付けることができる。この場合、前記化粧パネルが前記枠体に取り付けられている。なお、本体部を直接に壁に取り付けることもできるし、化粧パネルを壁に直接に取り付けることもできる。しかし、この場合、壁に本体部取付用の孔と化粧パネル取付用の孔とをそれぞれ開ける必要があり、好ましくない。枠体に本体部を取り付け、枠体に化粧パネルを取り付ければ、枠体の取付用の孔のみを壁に開ければよい。
【発明の効果】
【００１０】
以上のように、本発明によれば、化粧パネルの前面とカバーの前面とをほぼ一致させることが可能となり、壁面端子の見栄えを良好にすることができる。
【発明を実施するための最良の形態】
【００１１】
本発明の１実施形態の壁面端子は、例えばテレビジョン放送信号用の直列ユニットで、図２（ｂ）、（ｃ）に示すように本体部２を有している。本体部２は、水平部２ａを有し、その前方において水平部２ａと一体に垂直部２ｂが形成され、概略Ｔ字状に形成されている。垂直部２ｂは更に下方に延長されて、延長部２ｃとされている。水平部２ａの後部下面には、同軸接栓型の入力端子４と出力端子６とが、横方向に一列に配置されている。また、同図（ａ）に示すように、垂直部２ｂ及び延長部２ｃの中央には、その長さ方向に沿って複数、例えば２個の端子、例えば同軸接栓型の分岐端子８ａ、８ｂが配置されている。垂直部２ｂの上下両端には、本体部２を後述する枠に取り付けるための取付部１０、１０がそれぞれ取り付けられている。また、上述した枠とは別の枠に取り付けるための取付部１２が、分岐端子８ａ、８ｂの設置位置に対応する垂直部２ｂ及び延長部２ｃの両側にそれぞれ形成されている。
【００１２】
入力端子４に供給された高周波信号、例えばテレビジョン放送信号の一部が分岐されて、分岐端子８ａ、８ｂに供給され、残りが出力端子６に供給される。
【００１３】
分岐端子８ａ、８ｂの周囲は、カバー１４によって包囲されている。カバー１４は、図３（ａ）乃至（ｃ）に示すように扁平な直方体状に形成され、分岐端子８ａ、８ｂが挿通される孔１４ａ、１４ｂが、これらに対応する位置に形成されている。このカバー１４は、図２（ａ）に示すように、垂直部２ｂ及び延長部２ｃの前面に、着脱自在に取り付けられている。カバー１４は、例えば合成樹脂成型によって製造される。
【００１４】
この本体部２は、図４に示すように、取付部１０、１０を利用して、矩形の枠１６の上下に取り付けられ、この枠１６が壁面に形成された、枠１６に対応する矩形の開口に取り付けられる。
【００１５】
図５（ａ）乃至（ｃ）に示すようにこの枠１６の前面を被うように概略矩形の化粧パネル１８が、着脱自在に取り付けられる。この化粧パネル１８は、同図（ｂ）、（ｃ）に示すように、その周辺部から前方側に凸に若干湾曲しており、その中央に、カバー１４が位置するようにカバー１４に対応する矩形の窓２０が前後方向に貫通するように形成されている。この化粧パネル１８も合成樹脂成型、アルミ成型等によって製造され、若干の可撓性を有している。
【００１６】
カバー１４や化粧パネル１８の製造時の寸法精度の関係上、化粧パネル１８を枠１６に取り付けた状態において、カバー１４の前面が化粧パネル１８の窓２０よりも前方に突出することがある。
【００１７】
この点を改善するために、図３（ａ）乃至（ｃ）に示すように、カバー１４の外周縁部には、複数の押圧部２２が、カバー１４と一体に形成されている。押圧部２２は、カバー１４の両短辺部の中央と、両長辺部の両端付近とに、それぞれ形成されている。これら押圧部２２は、図３（ｂ）、（ｃ）に示すように、カバー１４の後面側から前面側に向かうに従って幅寸法が徐々に外側に向かって増大する直角三角形状の側面を有する三角柱状のもので、カバー１４の前面よりも後側に、化粧パネル１８の窓２０の周縁部を前方に押す面２２ａを有している。この面２２ａは、化粧パネル１８を枠１６に取り付けた状態において、化粧パネル１８の内面が位置する位置よりもカバー１４の前方側に位置しており、その結果、図１に示すように、化粧パネル１８の内面に接触し、化粧パネル１８を前方に押圧して撓ませている。
【００１８】
従って、図１及び図５（ａ）乃至（ｃ）に示すように、化粧パネル１８の前面と、カバー１４の前面とが、一致し、この直列ユニットの外観が良好になった。
【００１９】
上記の実施形態では、押圧部２２は、カバー１４の全周面に一定の間隔をおいて設けたが、例えばカバー１４の長辺部のみに設けることもできる。また押圧部２２は側面形状が直角三角形状のものを使用したが、側面形状が円弧状のように湾曲したものや、側面形状が長方形状のものや、台形状のものやＬ字状のもの等、種々の形状のものを使用できる。また、押圧部２２は、カバー１４の短辺部及び長辺部の長さに対して比較的短い長さとしたが、短辺部及び長辺部のほぼ全長にわたって設けることもできる。上記の実施形態では、２つの分岐端子８ａ、８ｂを設けたが、分岐端子は１つだけ設けることもできるし、３つ以上設けることもできる。また、上記の実施形態では、直列ユニットに本発明を実施したが、壁面に取り付けるタイプの分配器に実施することもできる。また、テレビジョン放送信号のような高周波信号を分岐する直列ユニットに本発明を実施したが、光信号を分岐または分配するものであって、壁に取り付けるタイプのものに本発明を実施することもできるし、光信号用の分岐端子と高周波信号用の分岐端子とを併存させるタイプで、壁に取り付けるものに実施することもできる。上記の実施形態では、取付部１０、１０を用いて枠１６に本体部を取り付けたが、枠１６を使用せずに、取付部１２、１２を利用して別の構成の枠に取り付けることもできる。
【図面の簡単な説明】
【００２０】
【図１】本発明の１実施形態の壁面端子の一部破断側面図である。
【図２】図１の壁面端子の本体部の正面図、側面図及び底面図である。
【図３】図２の本体部に取り付けるカバーの正面図、側面図及び底面図である。
【図４】図２の本体部を枠に取り付けた状態の正面図、側面図及び底面図である。
【図５】図１の壁面端子の正面図、側面図及び底面図である。
【符号の説明】
【００２１】
２  本体部
８ａ  ６ｂ  分岐端子
１４  カバー
１８  化粧パネル
２２  押圧部
【図１】
2009059644.tif 000003
【図２】
2009059644.tif 000004
【図３】
2009059644.tif 000005
【図４】
2009059644.tif 000006
【図５】
2009059644.tif 000007